(57)【要約】【課題】実際に計測されていない仮想データを表示することができるデータ表示装置、データ表示方法、及びデータ表示プログラムを提供すること。【解決手段】本発明にかかるデータ表示装置は、設備機器２を監視する設備監視システムにおいて、設備機器からの計測データを設備機器の配置に応じたレイアウトで表示画面上に表示させるデータ表示装置であって、設備機器からの計測データを時系列に沿ったデータベースとして記憶する計測データ記憶部２４と、所定の演算式によって、計測データ記憶部２４に記憶された計測データから仮想データを算出する処理部１１と、指定された過去の時点における計測データと仮想データとを、レイアウトの表示画面中に表示する表示部１３と、を備えたものである。【選択図】  図１
2009169881.tif 000002
【特許請求の範囲】
【請求項１】
設備機器を監視する設備監視システムにおいて、前記設備機器からの計測データを設備機器の配置に応じたレイアウトで表示画面上に表示させるデータ表示装置であって、
前記設備機器からの計測データを時系列に沿ったデータベースとして記憶する計測データ記憶部と、
所定の演算式によって、前記計測データ記憶部に記憶された計測データから仮想データを算出する演算処理部と、
指定された過去の時点における前記計測データと前記仮想データとを、前記レイアウトの表示画面中に表示する表示部と、を備えたデータ表示装置。
【請求項２】
前記仮想データを時系列に沿ったデータベースとして記憶する仮想データ記憶部をさらに備え、
前記過去の時点における仮想データを前記仮想データ記憶部から読み出して、表示している請求項１に記載のデータ表示装置。
【請求項３】
前記仮想データ記憶部が、新たに定義された演算式によって算出された仮想データを、過去の時点を含む所定の期間分、データベースとして記憶していることを特徴とする請求項２に記載のデータ表示装置。
【請求項４】
前記過去の時点から時間を進行させながら、その時点における前記計測データ及び前記仮想データを順番に表示する請求項１、２、又は３に記載のデータ表示装置。
【請求項５】
設備機器を監視する設備監視システムにおいて、前記設備機器からの計測データを設備機器の配置に応じたレイアウトで表示画面上に表示させるデータ表示方法であって、
前記設備機器からの計測データを時系列に沿ったデータベースとして記憶するステップと、
所定の演算式によって、前記データベースの計測データから仮想データを算出するステップと、
指定された過去の時点における前記計測データと前記仮想データとを、前記レイアウトの表示画面中に表示するステップと、を備えたデータ表示方法。
【請求項６】
前記仮想データを時系列に沿ったデータベースとして記憶し、
前記表示するステップでは、前記過去の時点における仮想データを前記データベースから読み出して、表示を行っている請求項５に記載のデータ表示方法。
【請求項７】
新たに定義された演算式によって算出された仮想データを、過去の時点を含む所定期間分、前記データベースとして記憶し、
前記表示するステップでは、前記データベースから仮想データを読み出して、表示を行っていることを特徴とする請求項６に記載のデータ表示方法。
【請求項８】
前記過去の時点から時間を進行させながら、その時点における前記計測データ及び前記仮想データを順番に表示する請求項５、６、又は７に記載のデータ表示方法。
【請求項９】
設備機器を監視する設備監視システムにおいて、前記設備機器からの計測データを設備機器の配置に応じたレイアウトで表示画面上に表示させるためのデータ表示プログラムであって、
コンピュータに対して、
前記設備機器からの計測データを時系列に沿ったデータベースとして記憶させるステップと、
所定の演算式によって、前記データベースの計測データから仮想データを算出させるステップと、
指定された過去の時点における前記計測データと前記仮想データとを、前記レイアウトの表示画面中に表示させるステップと、を備えたデータ表示プログラム。
【請求項１０】
前記仮想データを時系列に沿ったデータベースとして記憶させ、
前記過去の時点における仮想データを前記データベースから読み出して、表示させる請求項９に記載のデータ表示プログラム。
【請求項１１】
前記仮想データのデータベースには、新たに定義された演算式によって算出された仮想データが、過去の時点を含む所定期間分、記憶されていることを特徴とする請求項１０に記載のデータ表示プログラム。
【請求項１２】
前記コンピュータに対して、
前記過去の時点から時間を進行させながら、その時点における前記計測データ及び前記仮想データを順番に表示させる請求項９、１０、又は１１に記載のデータ表示プログラム。
【発明の詳細な説明】
【技術分野】
【０００１】
本発明は、設備機器からの計測データを設備機器の配置に応じたレイアウトで表示画面上に表示させるデータ表示装置、データ表示方法、及びデータ表示プログラムに関するものである。
【背景技術】
【０００２】
各種プラントの監視用途として、グラフィック画面上に、トレンドデータを表示する監視制御装置が開示されている（特許文献１）。この監視制御装置には、過去に遡及してトレンドデータを再表示するプレイバック機能が設けられている。さらに、計装図的グラフィック表示に加えて、ヒストリカルなトレンド画面、及び操作履歴イベントなどをオーバラップできる機能が開示されている。
【０００３】
【特許文献１】特開２００３−５０６２２号公報
【発明の開示】
【発明が解決しようとする課題】
【０００４】
しかしながら、設備の監視、管理をより効果的に行うため、実際に計測した計測データだけでなく、その計測データから演算式によって算出される仮想データを表示させることが望まれている。例えば、設備内において消費された多種エネルギー合算や、エンタルピなどを表示することが望まれている。さらには、。例えば、設備内の快適度などの実際には計測することができない仮想データを表示させることも望まれている。特に近年では、省エネルギーに対する要求が高まっているため、仮想データを表示することで、設備の空調、を適切に制御する必要がある。
【０００５】
上記の監視制御装置では、あくまでも実際の計測データ又は運転操作にかかる情報のみしか表示することができない。したがって、設備の監視、管理をより効果的に行うため、計測していない仮想データを表示することができないという問題点がある。すなわち、実測したデータから演算式によって求められる仮想データを表示することができない。従って、設備の管理を適切に制御することが困難である。
【０００６】
本発明は、このような問題点を解決するためになされたもので、実際に計測されていない仮想データを表示することができるデータ表示装置、データ表示方法、及びデータ表示プログラムを提供することを目的とする。
【課題を解決するための手段】
【０００７】
本発明の第１の態様にかかるデータ表示装置は、設備機器を監視する設備監視システムにおいて、前記設備機器からの計測データを設備機器の配置に応じたレイアウトで表示画面上に表示させるデータ表示装置であって、前記設備機器からの計測データを時系列に沿ったデータベースとして記憶する計測データ記憶部と、所定の演算式によって、前記計測データ記憶部に記憶された計測データから仮想データを算出する演算処理部と、指定された過去の時点における前記計測データと前記仮想データとを、前記レイアウトの表示画面中に表示する表示部と、を備えたものである。これにより、実際に計測されていない仮想データを表示することができる。
【０００８】
本発明の第２の態様にかかるデータ表示装置は、上記のデータ表示装置であって、前記仮想データを時系列に沿ったデータベースとして記憶する仮想データ記憶部をさらに備え、
前記過去の時点における仮想データを前記仮想データ記憶部から読み出して、表示しているものである。これにより、過去の時点における仮想データを速やかに表示することができる。
【０００９】
本発明の第３の態様にかかるデータ表示装置は、上記のデータ表示装置であって、前記仮想データ記憶部が、新たに定義された演算式によって算出された仮想データを、過去の時点を含む所定の期間分、データベースとして記憶していることを特徴とするものである。これにより、演算式を新たに定義する前の時点における仮想データを表示することができる。
【００１０】
本発明の第４の態様にかかるデータ表示装置は、上記のデータ表示装置であって、前記過去の時点から時間を進行させながら、その時点における前記計測データ及び前記仮想データを順番に表示するものである。これにより、計測データ、及び仮想データの時間変化を把握することができるため、設備の監視を適切に行うことができる。
【００１１】
本発明の第５の態様にかかるデータ表示方法は、設備機器を監視する設備監視システムにおいて、前記設備機器からの計測データを設備機器の配置に応じたレイアウトで表示画面上に表示させるデータ表示方法であって、前記設備機器からの計測データを時系列に沿ったデータベースとして記憶するステップと、所定の演算式によって、前記データベースの計測データから仮想データを算出するステップと、指定された過去の時点における前記計測データと前記仮想データとを、前記レイアウトの表示画面中に表示するステップと、を備えたものである。これにより、実際に計測されていない仮想データを表示することができる。
【００１２】
本発明の第６の態様にかかるデータ表示方法は、上記のデータ表示方法であって、前記仮想データを時系列に沿ったデータベースとして記憶し、前記表示するステップでは、前記過去の時点における仮想データを前記データベースから読み出して、表示を行っている
ものである。これにより、過去の時点における仮想データを速やかに表示することができる。
【００１３】
本発明の第７の態様にかかるデータ表示方法は、上記のデータ表示方法であって、新たに定義された演算式によって算出された仮想データを、過去の時点を含む所定期間分、前記データベースとして記憶し、前記表示するステップでは、前記データベースから仮想データを読み出して、表示を行っていることを特徴とするものである。これにより、演算式を新たに定義する前の時点における仮想データを表示することができる。
【００１４】
本発明の第８の態様にかかるデータ表示方法は、上記のデータ表示方法であって、前記過去の時点から時間を進行させながら、その時点における前記計測データ及び前記仮想データを順番に表示するものである。これにより、計測データ、及び仮想データの時間変化を把握することができるため、設備の監視を適切に行うことができる。
【００１５】
本発明の第９の態様にかかるデータ表示プログラムは、設備機器を監視する設備監視システムにおいて、前記設備機器からの計測データを設備機器の配置に応じたレイアウトで表示画面上に表示させるためのデータ表示プログラムであって、コンピュータに対して、前記設備機器からの計測データを時系列に沿ったデータベースとして記憶させるステップと、所定の演算式によって、前記データベースの計測データから仮想データを算出させるステップと、指定された過去の時点における前記計測データと前記仮想データとを、前記レイアウトの表示画面中に表示させるステップと、を備えたものである。これにより、実際に計測されていない仮想データを表示することができる。
【００１６】
本発明の第１０の態様にかかるデータ表示プログラムは、上記のデータ表示プログラムであって、前記仮想データを時系列に沿ったデータベースとして記憶させ、前記過去の時点における仮想データを前記データベースから読み出して、表示させるものである。これにより、過去の時点における仮想データを速やかに表示することができる。
【００１７】
本発明の第１１の態様にかかるデータ表示プログラムは、上記のデータ表示プログラムであって、前記仮想データのデータベースには、新たに定義された演算式によって算出された仮想データが、過去の時点を含む所定期間分、記憶されていることを特徴とするものである。これにより、演算式を新たに定義する前の時点における仮想データを表示することができる。
【００１８】
本発明の第１２の態様にかかるデータ表示プログラムは、上記のデータ表示プログラムであって、前記コンピュータに対して、前記過去の時点から時間を進行させながら、その時点における前記計測データ及び前記仮想データを順番に表示させるものである。これにより、計測データ、及び仮想データの時間変化を把握することができるため、設備の監視を適切に行うことができる。
【発明の効果】
【００１９】
本発明によれば、実際に計測されていない仮想データを表示することができるデータ表示装置、データ表示方法、及びデータ表示プログラムを提供することができる。
【発明を実施するための最良の形態】
【００２０】
本実施の形態に係るデータ表示装置には、設備機器を監視する設備監視システムにおいて、前記設備機器からの計測データを設備機器の配置に応じたレイアウトで表示画面上に表示させるためのコンピュータプログラムが記憶されている。そして、データ表示プログラムは、コンピュータに対して、設備機器からの計測データを時系列に沿ったデータベースとして記憶させるステップと、所定の演算式によって、前記データベースの計測データから仮想データを算出させるステップと、指定された過去の時点における前記計測データと前記仮想データとを、前記レイアウトの表示画面中に表示させるステップと、を備えている。このように、実際に計測されていない仮想データを表示することができる。したがって、設備において適切な制御を行っているかを容易に確認することができる。よって、省エネルギー管理の作業に資することができる
【００２１】
以下に、本発明を適用した具体的な実施の形態について、図面を参照しながら詳細に説明する。図１は、設備監視システムの全体構成を模式的に示す図である。
【００２２】
設備監視システムは、例えば、ビルディングなどの建物設備において、設備を監視するものである。設備監視システムには、例えば、複数の設備機器２が設けられている。設備機器２は、建物内の所定の位置に配置されている。設備機器２としては、空調器、ヒータ、加湿器、風量計、温度計、熱量計、電力計、バルブなどが挙げられる。そして、設備機器２は、建物設備内の温度、風量、湿度、消費熱量、消費電力などをモニタしている。すなわち、設備機器２は、建物の各地点における温度、風量、湿度、消費熱量、消費電力などを計測している。設備機器２は、これらの計測データを所定の時間間隔で取得している。例えば、１分毎に計測データを取得することができる。このように、各設備機器２において、計測データの時間変化が取得される。
【００２３】
そして、設備機器２で計測された計測データは、設備管理装置１に転送される。そして、設備管理装置１は、転送された計測データを記憶する。ここで、ネットワークを介して設備機器２と設備管理装置１とを接続して、設備機器２からの計測データを逐次、送信してもよい。あるいは、設備機器２で一定期間、計測データを蓄積して、その蓄積された計測データをまとめて、送信してもよい。この場合、一定期間の計測データを含むデータファイルが、設備管理装置１に転送される。さらには、計測データを外部メモリや記憶ディスクなどの記憶媒体に保存して、その記憶媒体の計測データを設備管理装置１が読み出してもよい。この場合、設備機器２と設備管理装置１がネットワークを介して接続されていなくてもよい。もちろん、これらを組み合わせて、計測データを設備管理装置１に転送してもよい。
【００２４】
次に、設備管理装置１の構成について説明する。設備管理装置１は、例えば、パーソナルコンピュータなどの演算処理装置であって、設備監視のためのサマリグラフを表示する。すなわち、設備管理装置１は、計測データを表示するためのデータ表示装置である。具体的には、設備管理装置１は、処理部１１、入力部１２、表示部１３、及び記憶部２０を有している。
【００２５】
処理部１１は、ＣＰＵ、ＭＰＵ等を有しており、様々な演算処理を行う。入力部１２は、マウスやキーボードなどの入力手段を有している。そして、ユーザが入力部１２を操作することで各種データが入力される。表示部１３にはＣＲＴや液晶ディスプレイ等の表示装置を有している。表示部１３は、表示画面のウィンドウ上に処理結果等を表示する。また、表示部１３は、設備管理を行うためのサマリグラフを表示する。記憶部２０は、ＲＯＭ（Read Only Memory）、ＲＡＭ（Random Access Memory）、ハードディスク等の内部又は外部の記憶手段を備えている。また、ハードディスクには本実施の形態にかかるオペレーティングシステム、情報処理プログラム及び多数のアプリケーションプログラムがインストールされている。また、記憶部には、後述するようにサマリグラフ中にデータを表示させるためのデータ表示プログラムが格納されている。入力部１２によって入力された情報に基づいて、処理部１１が処理を行い、その結果を表示部２に表示させる。あるいは、処理結果を記憶部２０に記憶させることが可能となる。例えば、ユーザによって指定された日時における計測データ及び仮想データがサマリグラフのウィンドウ上に表示される。
【００２６】
次に、サマリグラフ中にデータを表示する処理を行うための構成に付いて説明する。記憶部２０は、日時記憶部２１と表示設定記憶部２２と演算式記憶部２３と計測データ記憶部２４と仮想データ記憶部２５を有している。なお、それぞれの記憶部は、物理的に同じ記憶装置に設けられていてもよい。
【００２７】
日時記憶部２１は、ユーザによって指定された日時を記憶する。すなわち、サマリグラフを表示するために、ユーザによって指定された過去の日時が、日時記憶部２１に記憶される。サマリグラフでは指定された時点のデータが表示される。
【００２８】
表示設定記憶部２２は、サマリグラフ画面のレイアウト等を表示設定として記憶する。例えば、表示設定記憶部２２は、サマリグラブの画面レイアウトのデータを記憶する。具体的には、表示設定記憶部２２には、画面のレイアウトがイメージデータとして記憶されている。このように、表示設定記憶部２２は、サマリグラフを表示するための画面データを記憶している。もちろん、複数のサマリグラフの設定をデータベースとして記憶してもよい。例えば、ビルディングの空調系を階毎に異なるサマリグラフとして、登録することができる。
【００２９】
演算式記憶部２３は、計測データから仮想データを算出するための演算式を記憶している。ここで、仮想データとは、設備機器２によって実際に計測されたデータでなく、実際に計測された計測データを基に算出されたデータである。仮想データを算出するための演算式は、入力部１２を操作することで入力される。したがって、演算式は、追加、修正、削除可能になっている。このように、演算式はユーザによって適宜更新される。また、２以上の仮想ポイントが設定されている場合、それぞれの仮想ポイント毎に演算式が登録されている。演算式記憶部２３は、各仮想ポイントに関する情報をデータベースとして記憶してもよい。例えば、仮想ポイント毎に異なるポイントアドレス、及びポイント名称等を設定してもよい。
【００３０】
計測データ記憶部２４は、各設備機器２で取得された計測データを記憶する。ここでは、計測データ記憶部２４は、計測データを時系列に沿ったデータベースとして記憶している。各設備機器２で計測された計測データが時系列にしたがって記憶されている。例えば、１分毎の計測データが時系列に沿って並んでいる。もちろん、計測データの時間間隔は特に限定されるものではない。さらに、異なる設備機器２において、データ計測の時間間隔が異なっていてもよい。計測データ記憶部２４には、計測データが所定のフォーマットになって記憶される。
【００３１】
さらに、計測データ記憶部２４は、計測ポイント毎に、計測データを記憶している。ここで、計測ポイントとは、設備における各設備機器２の測定点を示すものであり、異なる設備機器２は異なる計測ポイントとなる。そして、計測ポイント毎に、ポイント名称及びポイントアドレス等が登録されている。したがって、ポイントアドレスを参照することで、計測データを取得した設備機器２を特定することができる。例えば、ポイントアドレス「０００００００１」は、ビルの５ＦのＡＡ室に設置された温度計を示している。また、ポイントアドレス「０００００００２」は、ビルの５ＦのＢＢ室に設置された温度計を示している。このような、ポイントアドレス等が計測データの測定点毎に登録されている。ポイントアドレス、ポイント名称等の情報は、予めユーザによってデータベース上に登録されている。もちろん、設備機器２を増設、変更した場合には、計測ポイントを修正するために、ポイントアドレス、ポイント名称等の情報を適宜更新する。計測データ記憶部２４には、ポイントアドレス毎に、日時とその日時における計測データが対応付けられている。さらに、各計測ポイントの情報として、計測データの単位やデータタイプなどを設定してもよい。
【００３２】
仮想データ記憶部２５には、仮想データが記憶される。仮想データは上記のように、演算式記憶部２３に記憶されている演算式によって算出される。仮想データ記憶部２５は、例えば、仮想データを時系列に沿ったデータベースとして記憶している。すなわち、仮想データ記憶部２５には、現在、又は過去の時点における仮想データが時系列にしたがって記憶されている。処理部１１は、計測データ記憶部２４に記憶されている計測データを読み出して、仮想データを求めていく。すなわち、読み出したある時点における計測データを演算式に代入することによって、その時点で仮想データが算出される。そして、この仮想データの値を仮想データ記憶部２５が記憶する。このように計測データから仮想データを算出して、時系列に沿って記憶しておくことで、速やかに仮想データを表示することができる。また、ユーザが必要な仮想データの期間を指定してもよい。すなわち、ユーザが始期、及び終期を指定して、その始期と終期との間のみで、仮想データを算出してもよい。このように、仮想データを過去の時点を含む所定の期間分だけ算出して、記憶するようにしてもよい。
【００３３】
仮想データ記憶部２５には、１又は２以上の仮想ポイントにおける仮想データが記憶されている。すなわち、仮想ポイント毎に異なる演算式が設定されている。このように、仮想データ記憶部２５には、仮想ポイント毎に、日時と仮想データが対応付けられて記憶されている。それぞれの日時における仮想データが、仮想ポイントに対応する演算式を用いて算出されている。そして、仮想データ記憶部２５には、仮想ポイントのポイントアドレスと、計測データが対応付けられている。仮想ポイント、及び計測ポイントのポイントアドレスは重複しないように異なっている。このため、ポイントアドレスによって、どの仮想ポイント又は計測ポイントのデータかを特定することができる。
【００３４】
なお、仮想データと計測データとを一つのデータベースとして記憶してもよい。すなわち、時系列に沿ってデータが記憶される時系列履歴データベースとして、仮想データ、及び計測データを記憶してもよい。
【００３５】
次に、設備の現在、又は過去の状態を表示するサマリグラフについて、図２を用いて説明する。図２は、表示部１３に表示されたサマリグラフの一例を示す図である。例えば、表示画面のサマリグラフウィンドウ上には、図２に示すサマリグラフが表示される。
【００３６】
図２に示すように、サマリグラフは、建物内の設備機器２の配置に応じたレイアウトになっている。例えば、各設備機器２が、実際の配置に応じて、サマリグラフウィンドウ上に表示されている。図２は、例えば、ビルの５階の平面図を示している。したがって、５階における空調、ヒータ、バルブ、ダクト、加湿器、インバータ、クーリングコイル、ヒーティングコイル、インバータなどが、実際の配置に合わせて、アイコンとして模式的に表示されている。したがって、ユーザがサマリグラフを視認することによって、空調システム等の配置を直感的に把握することができる。
【００３７】
例えば、サマリグラフ内には、空調用のダクト５６が表示されている。設備においては、例えば、このダクト５６にヒータなどからの温風が供給される。そして、ダクト５６は、３方向に分岐され、ダクト５７〜５９となる。ダクト５７〜５９によって、ゾーン毎に、風量、温度を調整することができる。そして、ダクト５６の途中には、バルブなどが設けられている。もちろん、ダクト５６〜５９だけでなく、室内に設けられている加湿器、バルブ、空調機などがその配置に合わせて表示されている。すなわち、サマリグラフ内のレイアウトは、実際の設備機器２の配置に合わせたものとなっている。また、サマリグラフには、各設備機器２の動作状態が示されていてもよい。
【００３８】
さらに、サマリグラフ内には、各種の計測データが表示されている。この計測データは、設備機器２で実際に計測されたものである。すなわち、計測データは実測値である。例えば、熱量計で測定された累積熱量の計測データ５４や熱量の計測データ５５の実測値が表示されている。さらには、風量の計測データ５１〜５３が表示されている。ここでは、計測データ５１〜５３は、ダクト５７〜５９に流れる風量を示している。ユーザがサマリグラフを見ることによって、例えば、ダクト５７における風量が７２６ｍ３／ｈであることが分かる。計測データ５１〜５５は、その設備機器２の近傍に配置されている。また、サマリグラフ上において、計測データ５１〜５３は、そのダクト５７〜５９に対応する位置に表示されている。このようなサマリグラフを見ることで、設備の監視を容易に行うことができる。よって、適切な管理が可能になる。
【００３９】
さらに、サマリグラフの上方には、日時を指定する指定領域７１が設けられている。ここでは、２００７年１１月７日の９：００が指定領域７１に入力されている。ユーザが入力部１２を用いて、過去の時点における日時を指定する。すると、指定された日時が日時記憶部２１に記憶される。指定された日時における計測データが表示される。すなわち、処理部１１が、指定された日時の計測データを計測データ記憶部２４から読み出す。そして、表示部１３が指定された日時における計測データをサマリグラフ中に表示する。したがって、図２のサマリグラフ中には、２００７年１１月７日の９：００の時点での計測データが表示されている。
【００４０】
表示設定記憶部２２は、上記のようなサマリグラフを表示するために、ウィンドウの表示レイアウトをイメージデータ等で記憶している。すなわち、計測データを表示する箇所以外のイメージデータが表示設定記憶部２２に予め登録されている。このような表示設定は、ユーザによって作成される。あるいは、表示設定のファイルを読み込むようにしてもよい。このように、サマリグラフのレイアウトの画面データが表示設定として記憶されている。
【００４１】
さらに、表示設定には、サマリグラフ上において、計測データを表示する位置が設定されている。すなわち、サマリグラフ上の座標と、その座標に表示させる計測データのポイントアドレスが対応付けられている。したがって、そのポイントアドレスの計測データがサマリグラフ中の所定の位置に表示される。すなわち、ある日時が指定されると、その日時において、そのポイントアドレスの設備機器２で計測された計測データが読み出される。そして、サマリグラフ中においてポイントアドレスに対応付けられた位置で、読み出された計測データが表示される。このように、計測データ記憶部２４では、ポイントアドレス、日時、及び計測データ等が紐付けられて記憶されているため、指定された日時における計測データを容易に読み出すことができる。そして、サマリグラフ上には、指定日時における計測データが、ポイント毎に表示されている。
【００４２】
このようにして、サマリグラフ上には、１又は複数の計測データが所定のレイアウトで表示されている。すなわち、設備機器２の配置に応じたレイアウトで計測データが表示される。そして、指定日時を変更すると、計測データも変わる。すなわち、指定された日時のおける計測データが読み出され、サマリグラフの表示が更新される。
【００４３】
さらに、本実施の形態では、サマリグラフ中にユーザが定義した仮想データを表示することも可能である。新たな仮想ポイントの定義は、例えば、仮想ポイント設定ウィザードなどによって実行される。ここで、仮想ポイントの登録について図３を用いて説明する。図３は、仮想ポイントの設定ウィンドウ８０を示す図である。
【００４４】
図３に示すように、操作パターン選択領域８１において、仮想ポイントを追加、修正、削除、コピーするかを選択する。すなわち、新たに仮想ポイントを追加する場合は、追加の欄をチェックし、既存の仮想ポイントを修正する場合は、修正の欄をチェックする。
【００４５】
さらに、仮想ポイント登録領域８２において、仮想ポイントのポイントアドレス、及びポイント名称、単位、データタイプ、パターン名称等を登録する。もちろん、ポイントアドレスは、他のポイントのポイントアドレスと重複しないようにする。すなわち、１つのポイントアドレスを選択すると、計測ポイント、及び仮想ポイントを含めた全ポイントのうち、１つのポイントが特定される。
【００４６】
そして、仮想ポイントの演算式を入力する。入力された演算式は、演算式記憶部２３に記憶される。そして、仮想ポイント毎に、演算式が記憶される。すなわち、演算式には、仮想ポイントのポイントアドレス、ポイント名称が対応付けてられている。さらに、演算式によって算出される仮想データのデータタイプ、及び単位などを対応付けてもよい。このように仮想ポイントの情報を追加、修正することで、新たな仮想ポイントを定義することができる。ユーザが入力部１２を操作することによって、仮想ポイントが設定される。
【００４７】
ここでは、仮想ポイントとして、図２に示すダクト５７〜５９に供給された熱量を設定する例について説明する。ダクト５６に供給された熱量の計測データが８ＭＪとなっている。さらに、ダクト５７〜５９の風量の計測データが取得されている。従って、ダクト５７〜５９に供給された熱量を算出することができる。
【００４８】
例えば、ダクト５７〜５９の風量をそれぞれＦ１、Ｆ２、Ｆ３とし、ダクト５６に供給されている熱量をＱとする。すると、ダクト５７に供給される熱量Ｑ１は、以下の演算式（１）で求められる。
Ｑ１＝Ｑ×Ｆ１／（Ｆ１＋Ｆ２＋Ｆ３）  ・・・（１）
【００４９】
同様に、ダクト５８に供給される熱量Ｑ２は、以下の演算式（２）で求められ、ダクト５９に供給される熱量Ｑ３は、以下の演算式（３）で求められる。
Ｑ２＝Ｑ×Ｆ２／（Ｆ１＋Ｆ２＋Ｆ３）  ・・・（２）
Ｑ３＝Ｑ×Ｆ３／（Ｆ１＋Ｆ２＋Ｆ３）  ・・・（３）
【００５０】
このように、実際に計測していない熱量Ｑ１〜Ｑ３を演算するために、仮想ポイントを登録する。仮想ポイントのポイントアドレス、ポイント名称、演算式などを対応付けて設定する。ここでは、複数の計測データから、仮想データが算出されている。仮想データとしては、エンタルピ、快適度などの種々の値を求めることができる。もちろん、実際に計測することができない快適度の算出式をユーザが定義してもよい。そして、過去の時点における仮想データを、その過去の時点における計測データから算出する。すなわち、過去の時点における計測データを読み出して演算処理することで、仮想データを過去に遡及して、算出することができる。よって、仮想ポイントが定義される前の仮想データを算出することができる。もちろん、サマリグラフ上に表示する仮想データ及び計測データの数や種類は特に限られるものではない。
【００５１】
そして、サマリグラフ上において仮想ポイントを表示させる位置を指定する。例えば、図４に示すように、風量の計測データ５１〜５３の下に、熱量の計測データ６１〜６３を表示させる。すなわち、仮想ポイントを表示させる座標等を登録する。仮想ポイントを表示させる座標は、仮想ポイント毎に、表示設定記憶部２２等に記憶されている。図４のサマリグラフでは、追加された仮想ポイント以外は、図２のサマリグラフと同じレイアウトになっている。
【００５２】
図４に示すように、仮想ポイントが追加された後では、図２のサマリグラフに対して、ダクト５７〜５９に供給される熱量を表示する欄が加えられている。このような仮想ポイントの追加、修正、削除等をユーザが行うと、サマリグラフのレイアウトが更新される。すなわち、表示設定記憶部２２に記憶されている表示設定が更新される。
【００５３】
さらに、サマリグラフには、プレイバック表示を行うためのチェックボックス７２が設けられている。チェックボックス７２は、サマリグラフの左上に配置されている。このチェックボックス７２をチェックすると、サマリグラフが自動的にプレイバック表示される。プレイバック表示では、過去のある時点から一定時間間隔で時間が進行していく。すなわち、各ポイントのデータの履歴が表示されていく。従って、計測データ及び仮想データの表示が時間とともに変化していく。
【００５４】
また、サマリグラフには、プレイバック表示において、読み出すデータの時間間隔を入力する時間入力領域７３が設けられている。ここでは、時間間隔が１時間と設定されている。従って、１時間毎の計測データ、及び仮想データを順次読み出して、表示する。
【００５５】
例えば、プレイバック表示の開始時間を２００７年１１月７日（木）９：００とし、時間間隔を１時間とすると、まず、２００７年１１月７日（木）９：００の計測データ、及び仮想データがサマリグラフ上に表示される。そして、一定の時間経過後に、２００７年１１月７日（木）１０：００の計測データ、及び仮想データがサマリグラフ上に表示される。その次には、２００７年１１月７日（木）１１：００の計測データ、及び仮想データがサマリグラフ上に表示される。そして、最新の時点までの計測データ、及び仮想データが表示されたら、プレイバック表示が終了する。もちろん、設定された時間で、プレイバック表示を終了してもよい。このように、一定時間毎の計測データ、及び仮想データが順番にサマリグラフ上に表示されていく。これにより、計測データ及び仮想データの時間変化を容易に把握することができる。
【００５６】
具体的には、プレイバック表示を行うため、処理部１１が、順次、計測データ、及び仮想データを時系列に沿って読み出していく。そして、読み出した計測データ、及び仮想データを順番に表示させていく。ここでは、サマリグラフの予め登録されている位置において、計測データ、及び仮想データが表示される。すなわち、同じポイントのデータは、プレイバック表示中、サマリグラフの同じ位置に表示される。また、仮想ポイントが追加、変更された時点で、仮想データを算出しておくことで、変更された内容のサマリグラフを速やかに表示することができる。
【００５７】
このように、本実施の形態では、仮想ポイントでの仮想データをサマリグラフ上に表示させることができる。さらに、仮想データを過去に遡及して算出することができる。仮想ポイントを追加、修正した場合、追加、修正した演算式を用いて、過去の時点における計測データから仮想データを算出する。すなわち、新たに演算式が定義された場合でも、その演算式を用いて、過去の仮想データを算出する。計測した時点で仮想ポイントが登録されていない場合でも、その仮想ポイントの仮想データを後から算出する。そして、仮想データのデータベースを更新して、仮想データをサマリグラフ上に表示する。このように、指定された過去の時点における仮想データをサマリグラフ上に表示することができる。すなわち、演算式が定義される前の時点における仮想データをサマリグラフ上に表示することができる。よって、より効果的に設備を管理、監視することができる。すなわち、ユーザが確認したいと思った時点において、仮想ポイントを新たに定義する。定義された仮想データの履歴を後から確認することができる。従って、設備において適切な制御を行っているかを容易に確認することができる。省エネルギー管理の作業に資することができる。
【００５８】
また、演算式を追加、修正した場合でも、プレイバック表示することができる。すなわち、仮想データ記憶部の記憶されている仮想データを、時系列にしたがって、仮想データ記憶部２５から順番に読み出していく。これにより、仮想データを含むサマリグラフをプレイバック表示することができる。プレイバック表示を行うことで、設備の管理、監視をより効果的に行うことができる。従って、設備において適切な制御を行っているかを容易に確認することができる。よって、省エネルギー管理の作業に資することができる。
【００５９】
なお、上記の説明では仮想データを予め算出して、データベースとして記憶していたが、仮想データをその都度、算出してもよい。すなわち、日時が指定された時点で、その時点における仮想データを算出する。この場合、新たな時点を指定して、サマリグラフの表示を更新する毎に、指定された時点における仮想データが算出される。従って、予め過去の全ての時点における仮想データを算出、記憶する必要がなくなる。よって、保存するデータ量を低減することができる。すなわち、表示する時点における仮想データのみ記憶しておけばよくなる。もちろん、プレイバック表示を行う場合も、次の時点におけるデータに表示を切換える毎に、仮想データを算出してもよい。
【００６０】
次に、図５を用いて、本実施の形態にかかる設備管理装置１を用いたデータ表示方法について、説明する。図５は、データ表示方法を示すフローチャートである。まず、処理を行う前に、計測データ、演算式、仮想データ等を記憶させておく。そして、計測データ等を記憶させた状態で、ユーザが日時の指定、及び表示するサマリグラフを指定する（ステップＳ１０１）。すなわち、ユーザが表示したいサマリグラフを選択する。そして、ユーザが過去の日時を入力する。すると、処理部１１が画面データ、並びに計測データ、及び仮想データの履歴データを読み込む（ステップＳ１０２）。すなわち、表示設定記憶部２２に記憶されている表示設定の中から指定されたサマリグラフに対応する画面データを読み込む。また、計測データ記憶部２４に記憶されている計測データ、及び仮想データ記憶部２５に記憶されている仮想データの中から指定された日時におけるデータを読み込む。
【００６１】
そして、表示部１３がサマリグラフを表示する（ステップＳ１０３）。すなわち、読み込んだ画面データ上の計測データ、及び仮想データを表示させる。これにより、図４に示すようなサマリグラフが表示される。また、２以上のサマリグラフを別のウィンドウで同時に表示させてもよい。さらに、その他のサマリグラフをチェックする（ステップＳ１０４）。例えば、表示されているサマリグラフをチェックして、気になる点がある場合は、他のサマリグラフをユーザがチェックする。そして、他のサマリグラフを同様の処理で表示させる。特に気になる点が無ければそのまま終了する。このように、マルチタスクで処理して、複数のサマリグラフを同時に表示させてもよい。これにより、適切に設備を監視することができる。上記のように建物の空調システムを監視、管理することで、空調システムの適切かつ効率的な制御が可能になる。
【００６２】
もちろん、上記の装置は物理的に１つの装置でなくてもよい。設備管理装置１を構成するためにコンピュータにインストールされた各種のプログラムは記録媒体に格納することも可能であり、また通信媒体を介して伝達されることも可能である。尚、上述の実施の形態では、ビルディングの監視、管理に使用した例について説明したが、これに限られず様々な建築物、建物設備、商業施設等に利用することが可能である。
【図面の簡単な説明】
【００６３】
【図１】設備監視システムの構成を模式的に示すブロック図である。
【図２】本実施の形態にかかる設備管理装置において表示されるサマリグラフの一例を示す図である。
【図３】仮想ポイントの設定ウィンドウを示す図である。
【図４】本実施の形態にかかる設備管理装置において、仮想ポイントを追加したサマリグラフを示す図である。
【図５】本実施の形態にかかるデータ表示方法を示すフローチャートである。
【符号の説明】
【００６４】
１  施設管理装置
２  設備施設
１１  処理部
１２  入力部
１３  表示部
１４  記憶部
２０  記憶部
２１  日時記憶部
２２  表示設定記憶部
２３  演算式記憶部
２４  計測データ記憶部
２５  仮想データ記憶部
５１〜５５  計測データ
５６〜５９  ダクト
６１〜６３  仮想データ
７１  指定領域
７２  チェックボックス
８０  設定ウィンドウ
８１  操作パターン選択領域
【図１】
2009169881.tif 000003
【図２】
2009169881.tif 000004
【図３】
2009169881.tif 000005
【図４】
2009169881.tif 000006
【図５】
2009169881.tif 000007